(57)【特許請求の範囲】
【請求項１】
前面側に本体開口部を具備する室内機本体と、
該室内機本体に設置され、前記本体開口部を解放自在に覆う前面パネル保持具と、
該前面パネル保持具に貼付され、該前面パネル保持具に形成された保持具開口部を覆うスクリーンと、
前記前面パネル保持具に設置され、前記前面パネル保持具の前面側を覆う前面パネルと、
前記前面パネル保持具の後面側に配置され、前記保持具開口部に向けて光を出射することができる発光手段を具備する投影装置と、を有し、
前記前面パネルの後面にシボ加工によって凹凸が形成されると共に、前記前面パネルの後面と前記スクリーンの前面との間に隙間が設けられ、
前記前面パネル保持具が前記室内機本体の本体開口部を覆い、且つ、前記発光手段が消灯した時は、前記前面パネルおよび前記スクリーンによって前記投影装置が覆い隠され、
前記前面パネル保持具が前記室内機本体の本体開口部を覆い、且つ、前記発光手段が点灯した時は、前記発光手段が出射する光が前記スクリーンおよび前記前面パネルを透過し、
前記前面パネルの後面と前記前面パネル保持具の前面との間に形成された隙間が、前記前面パネルの周縁に近づくほど広くなることを特徴とする空気調和機の室内機。
【請求項２】
前記前面パネル保持具は、対向した一対の円弧状の周縁および対向した一対の直線状の周縁に囲まれた曲面である保持具面部と、該保持具面部の前記円弧状の周縁および前記直線状の周縁を包囲して凹面側に突出する保持具フランジ部と、該保持具フランジ部の端縁から凸面側に突出する保持具突当部と、を有し、
前記前面パネルは、対向した一対の円弧状の周縁および対向した一対の直線状の周縁に囲まれた曲面であるパネル面部と、該パネル面部の前記円弧状の周縁および前記直線状の周縁を包囲して凹面側に突出するパネルフランジ部と、を有し、
前記前面パネル保持具に前記前面パネルが設置される際、前記保持具フランジ部が前記パネルフランジ部によって覆われ、且つ、前記保持具突当部に前記パネルフランジ部の端縁が当接することを特徴とする請求項１記載の空気調和機の室内機。
【請求項３】
前面側に本体開口部を具備する室内機本体と、
該室内機本体に設置され、前記本体開口部を解放自在に覆う前面パネル保持具と、
該前面パネル保持具に貼付され、該前面パネル保持具に形成された保持具開口部を覆うスクリーンと、
前記前面パネル保持具に設置され、前記前面パネル保持具の前面側を覆う前面パネルと、
前記前面パネル保持具の後面側に配置され、前記保持具開口部に向けて光を出射することができる発光手段を具備する投影装置と、を有し、
前記前面パネルの後面にシボ加工によって凹凸が形成されると共に、前記前面パネルの後面と前記スクリーンの前面との間に隙間が設けられ、
前記前面パネル保持具が前記室内機本体の本体開口部を覆い、且つ、前記発光手段が消灯した時は、前記前面パネルおよび前記スクリーンによって前記投影装置が覆い隠され、
前記前面パネル保持具が前記室内機本体の本体開口部を覆い、且つ、前記発光手段が点灯した時は、前記発光手段が出射する光が前記スクリーンおよび前記前面パネルを透過し、
前記前面パネル保持具は、対向した一対の円弧状の周縁および対向した一対の直線状の周縁に囲まれた曲面である保持具面部と、該保持具面部の前記円弧状の周縁および前記直線状の周縁を包囲して凹面側に突出する保持具フランジ部と、該保持具フランジ部の端縁から凸面側に突出する保持具突当部と、を有し、
前記前面パネルは、対向した一対の円弧状の周縁および対向した一対の直線状の周縁に囲まれた曲面であるパネル面部と、該パネル面部の前記円弧状の周縁および前記直線状の周縁を包囲して凹面側に突出するパネルフランジ部と、を有し、
前記前面パネル保持具に前記前面パネルが設置される際、前記保持具フランジ部が前記パネルフランジ部によって覆われ、且つ、前記保持具突当部に前記パネルフランジ部の端縁が当接することを特徴とする空気調和機の室内機。
【請求項４】
前記保持具フランジ部に凸面側に突出する係止突起が形成され、
前記パネルフランジ部を貫通する係止孔または前記パネルフランジ部の凹面側に陥没した係止凹部が形成され、
前記前面パネル保持具に前記前面パネルが設置される際、前記係止突起が前記係止孔または前記係止凹部に侵入することを特徴とする請求項２または３記載の空気調和機の室内機。
【請求項５】
前記前面パネル保持具の両端部に、前記室内機本体に回動自在に設置されるための保持具支持腕と、前記室内機本体に回動不能に固定されるための保持具係止爪と、が形成されていることを特徴とする請求項１乃至４の何れかに記載の空気調和機の室内機。
【請求項６】
前記スクリーンが前記保持具面部の全域を覆うことを特徴とする請求項２乃至５の何れかに記載の空気調和機の室内機。
【請求項７】
前記スクリーンが前記前面パネル保持具と同一色彩または同一模様であることを特徴とする請求項１乃至６の何れかに記載の空気調和機の室内機。
【請求項８】
前記スクリーンは可撓性を具備するシート状であって、
前記投影装置は前記室内機本体に設置され、表示内容が印刷された印刷シートと、該印刷シートが前面に貼付された基板ホルダーと、該基板ホルダーに固定された基板と、該基板に搭載された発光手段と、前記基板ホルダーを保持する投影装置ベースと、を有し、
前記前面パネル保持具が前記室内機本体の本体開口部を覆った際、前記印刷シートが前記スクリーンの後面に押し付けられることを特徴とする請求項１乃至７の何れかに記載の空気調和機の室内機。
【請求項９】
前記基板ホルダーと前記投影装置ベースとの間に、付勢手段が設けられていることを特徴とする請求項８記載の空気調和機の室内機。
【請求項１０】
前記投影装置を形成する前記基板ホルダーは、付勢手段を介して前記室内機本体に設置されていることを特徴とする請求項８記載の空気調和機の室内機。
【発明の詳細な説明】
【技術分野】
【０００１】
本発明は空気調和機の室内機、特に、運転状況等を表示する機能を有する空気調和機の室内機に関するものである。
【背景技術】
【０００２】
空気調和機の運転状況等を表示する機能を有する空気調和機の室内機（以下、単に「室内機」と称す）について、発明者等が、表示の視認性が良く、且つ、意匠性に優れた室内機を提供している（例えば、特許文献１参照）。
【先行技術文献】
【特許文献】
【０００３】
【特許文献１】特開２００９−１０３４２７号公報（第５頁、第４図）
【発明の概要】
【発明が解決しようとする課題】
【０００４】
特許文献１に開示された室内機は、前面パネルの後面に向けて光を出射する発光手段を搭載した投影装置を有するものであって、前面パネルの後面に塗装または印刷された加飾層を設けることによって、発光手段の点灯時には、発光手段から出射された光が室内機の外部から透視可能であり、一方、発光手段の消灯時には、投影装置が室内機の外部から透視不可能にしたものである。
このため、発光手段から出射された光によって前面パネルに所定の文字や図形を表示することによって、使用者に運転状態等を知らせることができる。一方、発光手段の消灯時には、前面パネルに運転状態等が表示されないで、使用者は前面パネルそのものを視認するだけで、前面パネルの奥（後面寄り）に投影装置が設置されていることに気が付かない。したがって、情報伝達の機能性に優れるだけでなく、外観の意匠性が向上している。
【０００５】
しかしながら、特許文献１に開示された室内機は前記のような優れものでありながら、以下のような改善点があった。  
（あ）前面パネルの後面に塗装によって加飾層を設ける際、前面パネルの前面に塗料が付着しないようにマスキングを施す必要がある。このための作業工数が、前面パネルの製造コストの低廉化のネックになる。
（い）一定の厚さの加飾層を形成する作業が要求されるため、高い作業技能が要求され、また、膜厚管理が困難になる。
（う）塗装に替えて印刷によって加飾層を設ける場合、前面パネルの形状によっては（たとえば、側縁に形成されたフランジが高い場合等）、前面パネルの後面の全域にインクがのらない。
（え）前面パネルに塗料やインクが付着するため、リサイクルが困難になる。
【０００６】
本発明は、上記改善点を解決するものであって、第１の目的は、塗装や印刷による加飾層を設けることなく、加飾層が設けられた場合と同等の優れた情報伝達の機能性および外観の意匠性を有する室内機を、安価に提供することにある。また、第２の目的は、リサイクルを容易にすることにある。さらに、第３の目的は、運転状態を明りょうに表示することによって、使用者の意識に訴え、省エネの促進を図ることにある。
【課題を解決するための手段】
【０００７】
本発明に係る空気調和機の室内機は、前面側に本体開口部を具備する室内機本体と、該室内機本体に設置され、前記本体開口部を解放自在に覆う前面パネル保持具と、該前面パネル保持具に貼付され、該前面パネル保持具に形成された保持具開口部を覆うスクリーンと、前記前面パネル保持具に設置され、前記前面パネル保持具の前面側を覆う前面パネルと、前記前面パネル保持具の後面側に配置され、前記保持具開口部に向けて光を出射することができる発光手段を具備する投影装置と、を有し、前記前面パネルの後面にシボ加工によって凹凸が形成されると共に、前記前面パネルの後面と前記スクリーンの前面との間に隙間が設けられ、前記前面パネル保持具が前記室内機本体の本体開口部を覆い、且つ、前記発光手段が消灯した時は、前記前面パネルおよび前記スクリーンによって前記投影装置が覆い隠され、前記前面パネル保持具が前記室内機本体の本体開口部を覆い、且つ、前記発光手段が点灯した時は、前記発光手段が出射する光が前記スクリーンおよび前記前面パネルを透過し、前記前面パネルの後面と前記前面パネル保持具の前面との間に形成された隙間が、前記前面パネルの周縁に近づくほど広くなることを特徴とする。
【発明の効果】
【０００８】
本発明に係る空気調和機の室内機は、前記回動パネルが室内機本体の本体開口部を覆った状態で、発光手段が消灯した時は、前面パネルおよびスクリーンによって投影装置が覆い隠され、一方、発光手段が点灯した時は、発光手段が出射する光がスクリーンおよび前面パネルを透過する。
このため、発光手段から出射された光を、所定の文字や図形が描かれた印刷シート（マスキングシートに同じ）を通してスクリーンの後面に出射すれば、スクリーンに描かれた所定の文字や図形がスクリーンの後面および前面に投影される。
（イ）したがって、前面パネルを透過して、スクリーンに投影された「光の像」を使用者は視認することができるから、運転状態に対応した所定の文字や図形を印刷シートに描いておけば、使用者に、光の像によって運転状態等を知らせることができる。なお、印刷シートを設けない場合でも、発光手段の点滅によって、運転状態等を使用者に知らせることができる。
特に、前面パネルの後面に「シボ加工」によって凹凸が形成されると共に、前面パネルの後面とスクリーンの前面との間に「隙間」が設けられることによって、スクリーンに投影された「光の像」が微妙に散乱して、奥行き感を与えながら、軟らかく浮き上がる。よって、意匠性が向上して高級感が増すと共に、塵埃等が付着してもこれが目立たなくなるから、清潔感が増す。
【０００９】
（ロ）一方、発光手段の消灯時には、前面パネルおよびスクリーンによって投影装置が覆い隠されるから、使用者は、前面パネルの奥（後面寄りの位置）に投影装置が設置されていることに気が付かない。つまり、前面パネルの前面のみを視認することになる。
したがって、情報伝達の機能性に優れるだけでなく、外観の意匠性が向上している。
特に、前面パネルの後面にシボ加工によって凹凸が形成されると共に、前面パネルの後面とスクリーンの前面との間に隙間が設けられることによって、前面パネルを通してスクリーン（特に、スクリーンの周縁と前面パネル保持具との境界）を視認することが困難になるため、意匠性が向上する。
【００１０】
（ハ）このとき、従来技術では加飾層を設ける際に、マスキング作業や膜厚管理が必要であったところ、本発明ではかかる作業が不要になるから、製造コストが安価になる。
（ニ）また、前面パネル（前面パネル支持具）の形状に関わらず所望の範囲にスクリーンを貼付することができる。たとえば、スクリーンと前面パネル保持具の面部とを略同じ大きさ（広がり）にしておけば、仮に両者の色彩や模様が相違する場合であっても、両者の境界が不明りょうになり意匠性が担保される。
（ホ）さらに、前面パネルには特別の塗料等が塗布されないから、前面パネルをそのままリサイクルすることができ、また、前面パネル保持具にはスクリーンが貼付されるだけであるから、貼付されたスクリーンを剥がすだけで前面パネル保持具を容易にリサイクルすることができ、再資源化が促進され、環境保全に好適である。
（ヘ）なお、保持具開口部の大きさや形状は限定されるものではないから、保持具開口部を大きくして、運転状態等（たとえば、二酸化炭素排出量）を大きく且つ明りょうに表示することによって、使用者の意識に訴え（たとえば、設定温度の調整を促し）、省エネの促進に寄与することが可能になる。
【図面の簡単な説明】
【００１１】
【図１】本発明の実施の形態１に係る空気調和機の室内機を説明する一部（前面パネル）を分解して示す斜視図。
【図２】図１に説明する室内機の前面パネルが閉じられた状態を示す断面図。
【図３】図１に説明する室内機を説明する全体部材を分解して示す斜視図。
【図４】図１に説明する室内機の一部構成部材を分解して示す斜視図。
【図５】図１に示す室内機の一部構成部材の組立状態を示す断面図。
【図６】図１に示す室内機に設置された投影装置の構成部材を分解して示す斜視図。
【図７】図１に示す室内機に設置された投影装置の構成部材を組み立てた状態を示す側面視の断面図。
【図８】図７に示す投影装置が設置された状態を示す側面視の部分断面図。
【図９】本発明の実施の形態２に係る空気調和機の室内機を説明する一部（前面パネル）を分解して示す斜視図。
【図１０】図９に示す室内機の一部構成部材の組立状態を示す断面図。
【図１１】図９に示す室内機の一部の設置状況を示す側面視の断面図。
【発明を実施するための形態】
【００１２】
［実施の形態１］
（空気調和機の室内機−その１）
図１〜図４は本発明の実施の形態１に係る空気調和機の室内機を説明するものであって、図１は一部（前面パネル）を分解して示す斜視図、図２は前面パネルが閉じられた状態を示す側面視の断面図、図３は全体構成を分解して示す斜視図、図４は一部構成部材を分解して示す斜視図、図５は一部構成部材の組立状態を示す断面図である。
なお、以下に示す各図において同じ部分または相当する部分には同じ符号を付している。また、各図は模式的に描いたものであって、本発明は図示された形態に限定するものではない。
【００１３】
（室内機）
図１〜図３において、空気調和機の室内機（以下「室内機」と称す）１は、吸引口１１１および吹出口１１３を具備する室内機本体１１０と、吸引口１１１から吹出口１１３に至る風路１１２を形成する送風手段１２０と、風路１１２内に配置された熱交換手段１３０と、を有している。そして、室内機本体１１０には、本体開口部１１６を覆う前面パネル保持具３１０（前面パネル３３０が一体的に設置されている）と、運転状況等を表示する投影装置２００と、運転制御のためのセンサーユニット４００と、制御ユニット１６０と、が設置されている。
【００１４】
（室内機本体）
室内機本体１１０は室内の壁等に固定される基台１１４（以下、基台１１４側を「後面」と称す）と、基台１１４に固定される筐体（前面枠に同じ）１１５と、を有している。そして、筐体１１５の本体開口部１１６を覆う前面パネル保持具３１０が、筐体１１５の前面寄り（室内機本体１１０の前面に同じ）に着脱自在かつ回動自在に設置されている。
筐体１１５の上面には吸引口１１１が形成され、筐体１１５の下面（前面の一部を含む）には吹出口１１３が形成され、基台１１４の一部が風路１１２の一部（後面側）を形成している。また、吹出口１１３には、前面上下風向ベーン１１７および下面上下風向ベーン１１８が設置されている。
【００１５】
送風手段１２０は基台１１４に装着されるものであって、風路１１２を形成している。
熱交換手段１３０は基台１１４に装着されるものであって、後面側部分および前面側部分を具備し、風路１１２の送風手段１２０よりも上流側に配置され、図示しない室外機から供給される冷媒が流通する伝熱管１３１と、伝熱管１３１が貫通する複数枚の放熱フィン１３２と、を具備している。
そして、熱交換手段１３０の前面側部分の下方には、熱交換手段１３０から滴下したドレンを受け止めるドレンパン１４０が、基台１１４に装着されている。なお、ドレンパン１４０の下面の後面側は風路１１２の一部を形成するものであって、図示しない左右風向調整装置が設置されている。
さらに、風路１１２の吸引口１１１の近くで前面寄りに、フィルター１５１を清掃するためのフィルター自動清掃ユニット１５０が着脱自在かつ移動自在に設置されている（基台１１４には爪によって固定され、熱交換手段１３０にはネジによって固定されている）。そして、本体開口部１１６の上下方向の略中央に、フィルター１５１から落下した塵埃を貯溜するためのダストボックス１５２が設置されている。
【００１６】
（前面パネル保持具）
図４の（ａ）において、前面パネル保持具３１０は、半透明または不透明な樹脂材料によって一体成型されたものであって、断面円弧状の保持具面部３１１と、保持具面部３１１の円弧状の周縁に連続して凹面側に突出した保持具端縁フランジ部３１２ａ、３１２ｂと、保持具面部３１１の直線状の周縁に連続して凹面側に突出した保持具側縁フランジ部３１３ａ、３１３ｂと、を有している。すなわち、保持具面部３１１は保持具端縁フランジ部３１２ａ、３１２ｂおよび保持具側縁フランジ部３１３ａ、３１３ｂとによって、包囲されている。
また、保持具端縁フランジ部３１２ａ、３１２ｂの端縁には凸面側に突出する保持具端縁突当部３１４ａ、３１４ｂが形成され、保持具側縁フランジ部３１３ａ、３１３ｂの端縁には凸面側に突出する保持具側縁突当部３１５ａ、３１５ｂが形成されている。
【００１７】
さらに、前面パネル保持具３１０を、筐体１１５に着脱自在かつ回動自在に設置するための支点となる保持具支持腕３１６ａ、３１６ｂと、筐体１１５に着脱不能かつ回動不能に固定するための保持具係止爪３１７ａ、３１７ｂと、が形成されている。
また、保持具側縁フランジ部３１３ａ、３１３ｂには凸面側に突出した、前面パネル３３０を設置するための係止突起３１８ａ、３１８ｂが形成されている。
【００１８】
さらに、後記する投影装置２００から出射された光を通すための保持具開口部３５０ａ、３５０ｂが形成されている。なお、保持具開口部３５０ａ、３５０ｂは、投影装置２００を形成する基板ホルダー２４０が侵入自在な大きさ（広がり）を有し、基板ホルダー２４０の形状や数量によって、その形状や数量が変動し、それぞれの形状が相違する場合がある。
さらに、センサーユニット４００のセンシング範囲（赤外線の検出可能範囲）を確保するための保持具切欠部３４０が形成されている。なお、センサーユニット４００が設置されない場合には、当然に、保持具切欠部３４０は形成されないし、センサーユニット４００が、前面パネル保持具３１０の側縁部から離れて中央寄りに設置される場合には、保持具切欠部３４０は側縁部から離れ、全周が包囲されている「保持具開口部」を呈することになる。なお、以下、共通する内容の説明においては、符号の添え字「ａ、ｂ」の記載を省略する。
【００１９】
（スクリーン）
図４の（ｂ）において、前面パネル保持具３１０の保持具面部３１１の凸面側（表面に同じ）に、保持具開口部３５０ａ、３５０ｂを覆うスクリーン３２０ａ、３２０ｂ（以下、共通する内容の説明においては、符号の添え字「ａ、ｂ」の記載を省略する）が貼付されている。
スクリーン３２０は厚さが０．１〜０．５ｍｍ程度（たとえば、約０．２ｍｍ）の可撓性を有するシート状で、半透明または不透明の樹脂材料であって、強い光（発光された出射光等）を透過させる一方、弱い光（発光しない物体からの反射光等）を遮蔽するものである。すなわち、発光しない物体を覆い隠す（発光しない物体の有無を視認できない状態にする）ことができるものである。
【００２０】
そして、スクリーン３２０は前面パネル保持具３１０と同色で同柄（たとえば、共に無地）であるから、スクリーン３２０の周縁は不明りょうで、貼付されていることが分かり難くなっている。なお、スクリーン３２０を１枚にして、前面パネル保持具３１０と保持具面部３１１と略同じ大きさ（広がり）にしておけば、スクリーン３２０の周縁が、保持具面部３１１と保持部端縁フランジ部３１２との繋ぎ目（断面略円弧状で滑らかに繋がっている）や、保持具面部３１１と保持部側縁フランジ部３１３との繋ぎ目（断面略円弧状で滑らかに繋がっている）に略一致するから、仮に、両者の色彩や模様が相違する場合であっても、両者の境界が不明りょうになり、貼付されていることが分かり難くなる。
【００２１】
（前面パネル）
図４の（ｃ）において、前面パネル３３０は、透明または半透明な樹脂材料によって一体成型されたものであって、断面円弧状のパネル面部３３１と、パネル面部３３１の円弧状の周縁に連続して凹面側に突出したパネル端縁フランジ部３３２ａ、３３２ｂと、パネル面部３３１の直線状の周縁に連続して凹面側に突出したパネル側縁フランジ部３３３ａ、３３３ｂと、を有している。
また、パネル側縁フランジ部３３３ａ、３３３ｂには、前面パネル保持具３１０に形成された係止突起３１８ａ、３１８ｂが侵入する係止孔３３８ａ、３３８ｂが形成されている。なお、貫通した係止孔３３８ａ、３３８ｂに替えて、凹面側に形成された凹部（凸面側の底を有する）にしてもよい。なお、以下、共通する内容の説明においては、符号の添え字「ａ、ｂ」の記載を省略する。
【００２２】
また、前面パネル保持具３１０に準じて、センサーユニット４００のセンシング範囲（赤外線の検出可能範囲）を確保するためのパネル切欠部３６０が形成されているが、センサーユニット４００が設置されない場合や設置位置が変動した場合には、パネル切欠部３６０は形成されなかったり、周囲が包囲された保持具開口部が形成されたりする。
さらに、パネル面部３３１の凹面（後面）には「シボ加工Ｓ（図中、点線にて示す）」によって細かい凹凸が形成されている。したがって、パネル面部３３１を透過した光は細かく散乱されるため、後記するようにスクリーン３２０に投影された文字や図形が軟らかく浮き上がるから、高級感が増すと共に、仮に塵埃等が付着してもこれが目立たなくなるから、清潔感が増す。
【００２３】
図５は、前面パネル保持具３１０に前面パネル３３０が設置された状態を示すものであって、（ａ）は側縁に沿った断面図、（ｂ）は端縁に沿った断面図である。
図５の（ａ）および（ｂ）において、前面パネル保持具３１０に形成された係止突起３１８ａ、３１８ｂが、前面パネル３３０の係止孔３３８ａ、３３８ｂにそれぞれ侵入（係止）することによって、前面パネル３３０は前面パネル保持具３１０に接合されている。
このとき、パネル端縁フランジ部３３２の端縁３３４が保持具端縁フランジ部３１２の保持具端縁突当部３１４に密着し、パネル側縁フランジ部３３３の端縁３３５が保持具側縁フランジ部３１３の保持具側縁突当部３１５に密着している。また、パネル面部３３１の凹面（後面）と保持具面部３１１の凸面（前面）との間に「隙間３０１」が、およびパネル面部３３１の凹面（後面）とスクリーン３２０の前面との間に「隙間３０２」が、それぞれ形成されている。
【００２４】
したがって、パネル面部３３１、パネル側縁フランジ部３３３、およびパネル端縁フランジ部３３２のパネル面部３３１に近い範囲には、前面パネル３３０を前面パネル保持具３１０に接合するための手段（接着剤、ネジ、係止手段等）がないから、前面の景観が簡素であって、意匠性に優れている。
また、パネル端縁フランジ部３３２の端縁３３４が保持具端縁フランジ部３１２の保持具側縁突当部３１４に密着し、パネル側縁フランジ部３３３の端縁３３５が保持具側縁フランジ部３１３の保持具側縁突当部３１５に密着しているから、前面パネル３３０と前面パネル保持具３１０とによって、密閉空間が形成される。したがって、かかる空間への塵埃の侵入が防止されるから、前面パネル３３０の裏面（シボ加工Ｓが施されている）やスクリーン３２０が清浄に保たれる。よって、美観が保たれる。
【００２５】
また、従来のように加飾層を形成する場合には、マスキング作業や膜厚管理が必要であったのに対し、本発明ではこれらが不要になるから、製造コストが安価になる。
また、前面パネル保持具３１０の形状（前面パネル３３０の形状に同じ）に関わらず所望の範囲に、所望の形状のスクリーン３２０を貼付することができる。たとえば、スクリーン３２０と前面パネル保持具３１０の保持具面部３１１とを略同じ大きさ（広がり）にしておけば、スクリーン３２０の周縁が保持具面部３１１の周縁に略一致するから、仮に両者の色彩や模様が相違する場合であっても、両者の境界が不明りょうになり意匠性が担保される。
【００２６】
さらに、貼付されたスクリーン３２０を剥がすだけで、前面パネル保持具３１０を容易にリサイクルすることができるから、また、前面パネル３３０には塗装等が施されていないため、そのままリサイクルすることができるから、再資源化が促進され、環境保全に好適である。
なお、図５は模式的に示すものであって、スクリーン３２０の厚さや、前面パネル３３０と前面パネル保持具３１０との隙間３０１や前面パネル３３０とスクリーン３２０との隙間３０２、は誇張して描かれている。また、前面パネル３３０に形成された係止孔３３８に替えて係止突起を形成し、一方、前面パネル保持部３１０に形成された係止突起３１８に替えて係止孔または係止凹部を形成してもよい。
【００２７】
（投影装置の構成）
次に、投影装置について詳細に説明する。  
図６〜図８は本発明の実施の形態１に係る空気調和機の室内機に設置された投影装置を説明するものであって、図６は構成部材を分解して示す斜視図、図７は構成部材を組み立てた状態を示す側面視の断面図、図８は室内機に設置された状態を示す側面視の部分断面図である。
図６および図７において、水平方向の左右に投影装置２００ａ、２００ｂが設置されている。両者は表示内容が相違するものの構成は同じであるから、同じ内容については、符号の添え字「ａ、ｂ」を省略する。投影装置２００は、枠状の投影装置カバー２２０と、表示内容が印刷された印刷シート２３０と、印刷シート２３０が前面に貼付された基板ホルダー２４０と、基板ホルダー２４０にネジ止めされる基板２５０と、板状の投影装置ベース２６０と、を有している。
【００２８】
（投影装置カバー）
投影装置カバー２２０は、樹脂材料で成形され、カバー内壁２２１およびカバー外壁２２２を具備する断面略Ｊ字状の枠体である。カバー外壁２２２には、投影装置カバー２２０を投影装置ベース２６０に設置するためのカバー孔２２３が複数箇所に形成されている。
【００２９】
（印刷シート）
印刷シート２３０は、スクリーン３２０に投影される数字や図形（記号、イラスト等）の輪郭が縁取り印刷（マスキングに同じ）されたもので、基板ホルダー２４０の前面に接着剤で貼り付けられている。
なお、印刷シート２３０の光が通過する範囲（マスキングによって覆われた範囲を除く範囲）は、無色であっても所定の色彩を有してもよい。また、前記数字や図形は、運転状態等を意味するものであって、たとえば、運転モード（冷房、暖房、乾燥、強弱（緩急）等）、設定温度（℃）、当該運転を開始してからの消費電力量（ｋＷｈ）、消費電力量に対応した電気代（円）、消費電力量を二酸化炭素の排出量に換算した値（ｋｇ）、あるいは、それらの月間（週間）累計値等の何れか１以上であるが、これらに限定するものではない。
【００３０】
（基板ホルダー）
基板ホルダー２４０は、ＡＢＳ等の樹脂材料によってボックス状に成形され、ホルダー前面２４１の表面に印刷シート２３０が貼付され、ホルダー前面２４１には、基板２５０に実装された発光手段（ＬＥＤ）２５１が挿入されるホルダー投光窓２４２が形成されている。ホルダー投光窓２４２の大きさ（開口面積）は、これに挿入される発光手段２５１の数量（１個または２個以上）に応じて決定されている。
そして、基板ホルダー２４０は、投影装置ベース２６０と投影装置カバー２２０とによって形成される函体に抜け出し不能に収納されている。このとき、基板ホルダー２４０のホルダー前面２４１の外周に沿ってホルダー筒部２４３が形成され、ホルダー筒部２４３の先端の外周に、複数のホルダーフランジ２４４が設けられている。
【００３１】
（基板）
基板２５０には、表示手段としての発光手段（たとえば、ＬＥＤ）２５１が実装され、基板ホルダー２４０（正確にはホルダー筒部２４３）にネジ止めされている。発光手段２５１の出射する光の強さや色彩は限定するものではない。
【００３２】
（投影装置ベース）
投影装置ベース２６０は、ＡＢＳ等の樹脂材料から成形されており、投影装置カバー２２０のカバー外壁２２２の内側に侵入自在なベース筒部２６１を有し、ベース筒部２６１には投影装置カバー２２０のカバー孔２２３に陥入自在なベース突起２６２が形成されている。したがって、投影装置ベース２６０と投影装置カバー２２０とは、前者のベース突起２６２が後者のカバー孔２２３に陥入した状態で、一体化し、カバー内壁２２１によって囲まれた開口部を有する函体を形成している。
そして、投影装置ベース２６０は、筐体１１５に設置されている。
なお、投影装置ベース２６０に突出する回動用アーム（図示しない）を設け、回動用アームの先端を筐体１１５に回動自在または着脱自在に設置することによって、投影装置２００を回動自在または着脱自在、すなわち、本体開口部１１６から移動自在または撤去自在にしてもよい。
【００３３】
（付勢手段）
前記函体の内部には左右両側に付勢手段（たとえば、コイルバネ）２９０が配設され、基板ホルダー２４０を投影装置ベース２６０から離れる方向に付勢している。したがって、基板ホルダー２４０のホルダー前面２４１（その表面に印刷シート２３０が貼付されている）は、カバー内壁２２１によって囲まれた開口部を貫通して、前記函体の外部に突出している。
このとき、基板ホルダー２４０のホルダーフランジ２４４は投影装置カバー２２０（投影装置ベース２６０に固定されている）のカバー内壁２２１の端部に当接するから、基板ホルダー２４０が前記函体から抜け出すことがない。
【００３４】
（発光手段の点灯状況）
図８において、前面パネル保持具３１０が閉じて本体開口部１１６を塞いだ際、前面パネル保持具３１０の保持具開口部３５０に、投影装置２００を形成する基板ホルダー２４０の先端部（前面寄りの範囲）が侵入し、スクリーン３２０（前面パネル保持具３１０に貼付されている）に印刷シート２３０（基板ホルダー２４０のホルダー前面２４１に貼付されている）が押し付けられている。したがって、仮に、前面パネル保持具３１０に反り等がある場合でも、スクリーン３２０に印刷シート２３０が密着して押し付けられることになる。
【００３５】
そして、スクリーン３２０と前面パネル３３０とは半透明であって、弱い光を透過させないから、発光手段２５１が消灯した状態では、室内機１の外から、投影装置２００の存在を視認することができない。
一方、発光手段２５１からの出射光はこれを透過するから、発光手段２５１を点灯することによって、印刷シート２３０に印刷された数字や図形が、前面パネル３３０の前面に投影されることになる。すなわち、複数の発光手段２５１の点灯要領を変更することによって、必要な運転状態等が使用者に周知されることになるから、使用者の意識を喚起し、省エネ運転が促進される。
【００３６】
このとき、前面パネル３３０の簡素な面に、数字や図形が光によって浮き上がるように表示されるから、機能性が担保されると共に、清涼感および高級感が醸し出され、室内機１の商品価値が向上する。特に、前面パネル３３０の裏面にはシボ加工が施され、且つ、前面パネル３３０とスクリーン３２０との間には隙間３０２が形成されるから、前記数字や図形の輪郭が滲み（ぼやけ）、奥行き感がでるため、意匠性がさらに向上する。
なお、隙間３０２の広さ（大きさ）は、限定するものではなく、過剰に広くすると投影された数字や文字等が滲んで（ぼやけて）判別不能になり、一方、過剰に近づけたり、当接したりすると、奥行き感が阻害されたり、スクリーン３２０に付着した塵埃が、前面パネル３３０を透過して視認されたりする。
【００３７】
表１は、かかる状態を示すものであって、数字や文字等が殆どぼやけないで鮮明に判別できる隙間３０２の広さ（大きさ、「距離」と称す）を二重丸（◎）で、ぼけるけれども判別可能な距離を一重丸（○）で、ぼけて判別不能な距離を三角（△）で示し、また、付着した塵埃が前面パネル３３０を透過して視認不能な距離を一重丸（○）で、付着した塵埃が前面パネル３３０を透過して視認可能な距離をバツ（×）で、それぞれ示している。
すなわち、隙間３０２は２．０ｍｍ程度で、１．５〜２．５ｍｍの範囲が好適である。
なお、隙間３０１の広さ（大きさ）は限定するものではないが、前面パネル３３０の奥行き感をだして、付着した塵埃が前面パネル３３０を透過して視認不能なように、広いことが好ましい。そこで、後記する実施の形態２において説明するように、隙間３０１がパネル面部３３１の周縁になるほど、広く（大きく）なるようにしてもよい。
【００３８】
【表１】
0005660937.tif 000002
【００３９】
（発光手段の消灯状況）
一方、スクリーン３２０と前面パネル３３０とは半透明であって、弱い光（発光しない物体からの反射光等）を遮蔽するものであるから、発光手段２５１を消灯することによって、印刷シート２３０や基板ホルダー２４０等の投影装置２００を構成する部材が、覆い隠され、室内機１の外部からこれを視認することができない。すなわち、使用者は、前面パネル３３０の裏側（後面寄りの位置）に投影装置２００が設置されていることに気付かなくなる。
そして、前面パネル３３０には、開口部がなく、又、接着剤が付着した痕跡や前面パネル３３０の奥にあるものの影が透過しない。したがって、前面パネル３３０は、それ自体が簡素な面を有し、意匠性が阻害されることなく、清涼感および高級感が維持され、室内機１の商品価値が向上している。
なお、保持具開口部３５０の大きさや形状、あるいは数量は限定されるものではないから、保持具開口部３５０を大きくして、運転状態等（たとえば、二酸化炭素排出量）を大きく且つ明りょうに表示することによって、使用者の意識に訴え（たとえば、設定温度の調整を促し）、省エネの促進に寄与することが可能になる。
【００４０】
（センサーユニット）
さらに、投影装置２００に挟まれて運転制御のためのセンサーユニット４００が配置されている。センサーユニット４００はセンサー本体４０１と、センサー本体４０１を揺動させられる（所定の回転角度の間を往復する）センサーモーター４０２と、を有し、センサーモーター４０２が筐体１１５に固定されている。
また、前面パネル保持具３１０には保持具切欠部３４０が、前面パネル３３０にはパネル切欠部３６０がそれぞれ形成されているから、前面パネル保持具３１０が室内機本体１１０の本体開口部１１６を覆った際、センサーユニットのセンシング範囲が確保されている。
【００４１】
したがって、前面パネル保持具３１０（前面パネル３３０が一体的に接合されている）が室内機本体１１０の本体開口部１１６を覆った状態で、センサー本体４０１は、室内の広い範囲をセンシングすることが可能になっている。
なお、センサー本体４０１は、室内の温度分布（人間の位置を含む）や人間の体感温度、あるいは室内空気に含まれる塵埃の量等を検知するものであるが、これに限定するものではない。また、本発明はセンサーユニット４００の種類や形状を限定するものではなく、さらに、センサーユニット４００の設置を省略してもよい。
【００４２】
［実施の形態２］
（空気調和機の室内機−その２）
図９〜図１１は本発明の実施の形態２に係る空気調和機の室内機を説明するものであって、図９は一部（前面パネル）を分解して示す斜視図、図１０は、その一部構成部材の組立状態を示す断面図、図１１は一部の設置状況を示す側面視の断面図である。
なお、実施の形態１と同じ部分または相当する部分には同じ符号を付し、一部の説明を省略する。また、各図は模式的に描いたものであって、本発明は図示された形態に限定するものではない。
【００４３】
本発明の実施の形態２に係る空気調和機の室内機（以下、「室内機」と称す）２は、実施の形態１に示す室内機１における、前面パネル保持具３１０、スクリーン３２０および前面パネル３３０を、それぞれ前面パネル保持具５１０、スクリーン５２０および前面パネル５３０に変更すると共に、投影装置２００を投影装置６００に、変更したものであって、これを除く構成は、室内機１に同じである。
以下、説明の便宜上、実施の形態１における各部位の符号と実施の形態２における各部位の符号とは、同一または相当する部位については下二桁（一と十の位）を同一にし、前者では「３」または「２」であった百の位の数字を、後者ではそれぞれ「５」または「６」にして、一部の説明を省略する。以下、主に相違点について説明する。
【００４４】
（前面パネル保持具等）
図９および図１０において、前面パネル保持具５１０は、前面パネル保持具３１０に形成された保持具開口部３５０ａ、３５０ｂに替えて、パネル中央に大きな保持具開口部５５０が形成され、一方、前面パネル保持具３１０に形成された保持具切欠部３４０が撤去されている。
そして、パネル面部５３１の凹面（後面）には、実施の形態１と同様に、シボ加工によって細かい凹凸が形成されている。
さらに、パネル面部５３１の凹面（後面）とスクリーン５２０の前面との間に隙間５０２が形成され、パネル面部５３１の凹面（後面）と保持具面部５１１の凸面（前面）との間に隙間５０１が形成され、隙間５０１はパネル端縁フランジ部５３２またはパネル側縁フランジ部５３３（保持具端縁フランジ部５１２または保持具側縁フランジ部５１３に同じ）に近づくほど、広く（大きく）なっている。
【００４５】
したがって、パネル面部５３１を透過した光は細かく散乱されるため、実施の形態１と同様に、スクリーン５２０に投影された文字や図形が軟らかく浮き上がるから、高級感が増すと共に、仮に塵埃等が付着してもこれが目立たなくなるから、清潔感が増す。
さらに、隙間５０１はパネル面部５３１の周縁に近づくほど広く（大きく）なっているから、前面パネル５３０の奥行き感が助長されている。また、これに伴って隙間５０２（パネル面部５３１とスクリーン５２０との間隔）は、スクリーン５２０の中央範囲よりも周縁に近い範囲で広く（大きく）なっている。このため、前記投影された文字や図形の形状を過剰に滲ませる（ぼやけさせる）ことなく、パネル面部５３１の周縁に近い範囲における奥行き感を助長すると共に、スクリーン５２０の周縁と保持具面部５１１との境界を、さらに目立なくしている。
【００４６】
（投影装置）
図１１において、投影装置６００は、図示しない筐体１１５に付勢手段（コイルスプリング）６９０によって弾性的に支持された投影装置ベース６６０と、投影装置ベース６６０に固定された基板ホルダー６４０と、基板ホルダー６４０に保持された基板６５０と、基板６５０に搭載された発光手段（ＬＥＤ）６５１と、を有している。
【００４７】
（基板ホルダー）
基板ホルダー６４０は、ＡＢＳ等の樹脂材料によってボックス状に成形され、外周に沿って形成されたホルダー筒部６４３が投影装置ベース６６０に接合され、内部にホルダー隔壁６４４が形成されている。ホルダー隔壁６４４は基板６５０を支持すると共に、複数のホルダー投光窓６４２を形成している。
そして、ホルダー投光窓６４２には、基板６５０に搭載された発光手段（ＬＥＤ）６５１が挿入されている。なお、ホルダー投光窓６４２の大きさ（開口面積）は、これに挿入される発光手段６５１の数量（１個または２個以上）に応じて決定されている。
【００４８】
（投影装置ベース）
投影装置ベース６６０は、ＡＢＳ等の樹脂材料から成形されており、基板ホルダー６４０が接合されている。
そして、投影装置ベース６６０は付勢手段６９０によって、筐体１１５（図示しない）に弾性的に設置されている。
【００４９】
（発光手段の点灯状況）
したがって、前面パネル保持具３１０が閉じて本体開口部１１６を塞いだ際、前面パネル保持具３１０の保持具開口部５５０に、投影装置６００を形成する基板ホルダー６４０の先端部（前面寄りの範囲）が侵入し、スクリーン５２０（前面パネル保持具５１０に貼付されている）に印刷シート６３０（基板ホルダー６４０のホルダー前面６４１に貼付されている）が押し付けられている。したがって、仮に、前面パネル保持具５１０に反り等がある場合でも、スクリーン５２０に印刷シート６３０が密着して押し付けられることになる。
このとき、基板ホルダー６４０は、ホルダー隔壁６４４の前面側の端部がスクリーン５２０に密着しているから、所定のホルダー投光窓６４２に出射された光が、これに隣接するホルダー投光窓６４２に漏れることがない。
そして、スクリーン５２０と前面パネル５３０とは、半透明であるものの、発光手段２５１からの出射光はこれを透過するから、複数の発光手段２５１の点灯要領を変更することによって、所望の光の像を前面パネル５３０の前面に鮮明に投影することができる。すなわち、運転状態等と関連付けた光の像にすることによって、必要な運転状態等が使用者に周知されることになるから、使用者の意識を喚起し、省エネ運転が促進される。
このとき、前面パネル５３０の簡素な面に、数字や図形が光によって浮き上がるように表示されるから、機能性が担保されると共に、清涼感および高級感が醸し出され、室内機２の商品価値が向上する。
【００５０】
（発光手段の消灯状況）
一方、スクリーン５２０と前面パネル５３０とは半透明であって、弱い光（発光しない物体からの反射光等）を遮蔽するものであるから、発光手段６５１を消灯することによって、基板ホルダー６４０のホルダー前面６４１や発光手段６５１等の投影装置６００を構成する部材が、覆い隠され、外部からこれを視認することができない。すなわち、使用者は、前面パネル５３０の裏側（後面寄りの位置）に投影装置６００が設置されていることに気付かなくなる。
したがって、室内機２は、実施の形態１に示す室内機１と同様に、清涼感および高級感が維持され、商品価値が向上している。
【００５１】
なお、以上は、投影装置６００が印刷シートを具備しないものを示しているが、本発明はこれに限定するものではなく、ホルダー前面６４１に実施の形態１に示す印刷シート２３０を貼付してもよい。さらに、センサーユニットの設置あるいは配置位置に応じて、保持具切欠部を形成してもよい。また、実施の形態１に示す室内機１において、実施の形態２に準じて、隙間３０１が、パネル面部３３１の周縁になるほど広く（大きく）なるようにしてもよい。
【符号の説明】
【００５２】
１：室内機（実施の形態１）、２：室内機（実施の形態２）、１１０：室内機本体、１１１：吸引口、１１２：風路、１１３：吹出口、１１４：基台、１１５：筐体、１１６：本体開口部、１１７：前面上下風向ベーン、１１８：下面上下風向ベーン、１２０：送風手段、１３０：熱交換手段、１３１：伝熱管、１３２：放熱フィン、１４０：ドレンパン、１５０：フィルター自動清掃ユニット、１５１：フィルター、１５２：ダストボックス、１６０：制御ユニット、２００：投影装置、２２０：投影装置カバー、２２１：カバー内壁、２２２：カバー外壁、２２３：カバー孔、２３０：印刷シート、２４０：基板ホルダー、２４１：ホルダー前面、２４２：ホルダー投光窓、２４３：ホルダー筒部、２４４：ホルダーフランジ、２５０：基板、２５１：発光手段、２６０：投影装置ベース、２６１：ベース筒部、２６２：ベース突起、３０１：隙間、３０２：隙間、３１０：前面パネル保持具、３１１：保持具面部、３１２：保持具端縁フランジ部、３１３：保持具側縁フランジ部、３１４：保持具端縁突当部、３１５：保持具側縁突当部、３１６：保持具支持腕、３１７：保持具係止爪、３１８：係止突起、３２０：スクリーン、３３０：前面パネル、３３１：パネル面部、３３２：パネル端縁フランジ部、３３３：パネル側縁フランジ部、３３４：端縁、３３５：端縁、３３８：係止孔、３４０：保持具切欠部、３５０：保持具開口部、３６０：パネル切欠部、４００：センサーユニット、４０１：センサー本体、４０２：センサーモーター、５０１：隙間、５０２：隙間、５１０：前面パネル保持具、５１１：保持具面部、５２０：スクリーン、５３０：前面パネル、５３１：パネル面部、６００：投影装置、６３０：印刷シート、６４０：基板ホルダー、６４１：ホルダー前面、６４２：ホルダー投光窓、６４３：ホルダー筒部、６４４：ホルダー隔壁、６５１：発光手段、６６０：投影装置ベース、６９０：付勢手段、Ｓ：シボ加工。
【図１】
0005660937.tif 000003
【図２】
0005660937.tif 000004
【図３】
0005660937.tif 000005
【図４】
0005660937.tif 000006
【図５】
0005660937.tif 000007
【図６】
0005660937.tif 000008
【図７】
0005660937.tif 000009
【図８】
0005660937.tif 000010
【図９】
0005660937.tif 000011
【図１０】
0005660937.tif 000012
【図１１】
0005660937.tif 000013